(57)【要約】【課題】  羽織紐を結ぶ手間や羽織鐶を付け外す手間を必要とせず、非常に簡単に羽織胸元の開閉ができる羽織紐を提供する。【解決手段】  羽織の胸元が開かないように留める羽織紐１であって、紐の両端４を羽織に固定したまま中間部を連結・分断することによって羽織胸元の開閉ができるとともに、紐の連結を磁石の吸引力を利用して行うことを特徴とする、羽織紐１。【選択図】図１
0003111523.tif 000002
【実用新案登録請求の範囲】
【請求項１】
羽織の胸元が開かないように留める羽織紐であって、紐の両端を羽織に固定したまま中間部を連結・分断することによって羽織胸元の開閉ができるとともに、紐の連結を磁石の吸引力を利用して行うことを特徴とする、羽織紐。
【請求項２】
紐の中央部に２つの飾り玉を配置し、一方の飾り玉に磁石のN極を、他方の飾り玉に磁石のS極を、それぞれ各飾り玉の球面から突出しない態様で埋め込んだ、請求項１に記載の羽織紐。
【請求項３】
紐の中央部に２つの飾り玉を配置し、
一方の飾り玉に磁石のN極を、他方の飾り玉に磁石のS極を設けるとともに、
一方の飾り玉の磁石は球面から突出させ、他方の飾り玉に前記突出形状に対応する凹部を設け、該凹部壁面の少なくとも一部を磁石で構成することによって、
磁石の吸引力並びに前記突出部と前記凹部の嵌合を利用して羽織紐を連結させる、請求項１に記載の羽織紐。
【請求項４】
両端にカニ鐶を設けた、請求項１〜３いずれか１項に記載の羽織紐。
【考案の詳細な説明】
【技術分野】
【０００１】
本考案は、非常に簡単に羽織の胸元の開閉ができる羽織紐に関する。
【背景技術】
【０００２】
羽織は和装時に、長着の上に着る丈の短い衣服であり、胸元が左右に開いているため、羽織紐で羽織の胴前部分をつなぎ止めて着用する。この羽織紐は、単に着付けの安定を図るだけでなく、羽織着用時に非常に目立つポイントとなるため、和装アクセサリーとしても非常に重要である。
【０００３】
羽織紐には、紐が丸く組んである「丸組み」のもの、平たい紐の「平打ち」のもの、紐の中央部に玉などを通した「無双」と呼ばれるものがある。「丸組み」や「平打ち」のものは、一般に二本の紐からなり、各紐の一端を羽織の「乳（ち）」あるいは「乳附」と呼ばれる小さな輪に取り付けた状態で、この二本の紐を胴前で結び解きすることによって羽織の胸元の開閉を行う。羽織紐の結び方には何通りかパターンがあるが、着物を着る機会が少なくなった現在では結べない人も多い。このため、羽織紐を結んだ状態のまま、羽織紐の両端に取り付けたＳ字状の羽織鐶を羽織の乳附に付け外しすることによって、胸元の開閉を行うタイプのものが多くなっている。また、「無双」タイプのものは、一本の紐からなっているものがほとんどであるため、羽織鐶により胸元の開閉を行うものが主流である。
【考案の開示】
【考案が解決しようとする課題】
【０００４】
しかし、羽織鐶の付け外しにより羽織胸元の開閉を行えば、紐を結ぶ手間はかからないものの、羽織鐶が小さいため、付け外しに手間がかかるとともに、目視なしで付け外しすることが困難である。また、羽織紐の付け外しをしているうちに、羽織鐶が羽織紐から取れてしまうことがある。
【０００５】
本考案は、以上のような従来の羽織紐における課題を考慮してなされたものであり、羽織紐を結ぶ手間や羽織鐶を付け外す手間を必要とせず、非常に簡単に羽織胸元の開閉ができる羽織紐を提供するものである。
【課題を解決するための手段】
【０００６】
本考案は、羽織の胸元が開かないように留める羽織紐であって、紐の両端を羽織に固定したまま中間部を連結・分断することによって羽織胸元の開閉ができるとともに、紐の連結を磁石の吸引力を利用して行うことを特徴とする、羽織紐である。
【０００７】
本考案によれば、羽織紐の連結を磁石の吸引力によって行うことができるため、羽織紐の結び解きを行うことなく、羽織の胸元の開閉が可能である。また、羽織紐の両端を羽織に固定したまま、羽織の胸元の開閉を行うため、羽織の端部を羽織の乳附に付け外して胸元の開閉を行う必要がない。
【０００８】
また、紐の中央部に２つの飾り玉を配置し、一方の飾り玉に磁石のN極を、他方の飾り玉に磁石のS極を、それぞれ各飾り玉の球面から突出しない態様で埋め込んで、本考案に係る羽織紐を構成すれば、羽織紐に設けた磁石が外部から見えなくなるため、見た目をよくすることができ、ファッション性の高い羽織紐とすることができる。
【０００９】
また、紐の中央部に２つの飾り玉を配置し、一方の飾り玉に磁石のN極を、他方の飾り玉に磁石のS極を設けるとともに、一方の飾り玉の磁石は球面から突出させ、他方の飾り玉に前記突出形状に対応する凹部を設け、該凹部壁面の少なくとも一部を磁石で構成することによって、磁石の吸引力並びに前記突出部と前記凹部の嵌合を利用して羽織紐を連結させてもよい。
この構成をとることにより、羽織紐に設けた磁石を外部から見えなくして、ファッション性を高めることができるとともに、突出部と凹部の嵌合により羽織紐をより強固に連結することができる。
【００１０】
また、羽織紐の両端にカニ鐶を設けることにより、羽織鐶としてＳ字鐶を用いる場合に比べて、羽織鐶がより取れにくい羽織紐とすることができる。
【考案の効果】
【００１１】
本考案に係る羽織紐によれば、羽織紐を結ぶ手間や羽織鐶を付け外す手間がかからないため、羽織の胸元の開閉が非常に簡単になる。
【考案を実施するための最良の形態】
【００１２】
以下、図面に示した実施例に基づいて本考案を詳細に説明する。図１は、本考案の羽織紐の一実施例を示す正面図であって、Ａは連結した状態を示す図、Ｂは分断した状態を示す図である。図１に示す羽織紐１は、無双タイプの羽織紐であって、羽織紐１の中央部に２つの飾り玉３が配置されている。また、羽織紐の両端にカニ鐶４を設けている。図１Ｂに示すように、羽織紐１は中央部で２つの紐片２に分断される。図２Ａは、図１に示す羽織紐１の中央部の断面図であり、斜線部が磁石５である。一方の飾り玉３に磁石のN極が、他方の飾り玉３に磁石のS極が配置されている。２つの磁石５は同じ大きさで共に円筒形をしている。
【００１３】
図１の羽織紐１を使用する際は、羽織紐両端のカニ鐶４をそれぞれ羽織の左右の乳附に取り付けて、羽織紐の両端を羽織に固定しておく。そして羽織の胸元を閉じるときには、分断した状態の紐片２を手に取り、飾り玉３を互いに近づける。有る程度近づいた時点で、飾り玉３に埋め込んだ磁石５が互いに引き合って自動的に吸着し、羽織紐が連結する。羽織紐を分断したいときには、紐片２それぞれを手に取り、磁石の吸引力に勝る力で両端側に引っ張ればよい。連結・分断どちらの場合も、手元を見ずに行うことができる。
【００１４】
本考案に係る羽織紐を用いれば、紐を結び解きする手間や、羽織鐶を羽織の乳附から着脱する手間がかからないため、羽織の胸元の開閉が非常に容易である。また、羽織鐶で取り付けを行わないため、羽織鐶が壊れたり取れたりしにくい。
【００１５】
また、本実施例では、羽織紐の中央部に２つの飾り玉３を配置し、一方の飾り玉に磁石のN極を、他方の飾り玉に磁石のS極を、それぞれ各飾り玉の球面から突出しない態様で埋め込んでいるため、羽織紐に設けた磁石５が外部から見えない。そのため、磁石の存在により外観を損うことがない。
【００１６】
さらに、従来は羽織鐶としてＳ字鐶を用いていたが、本実施例の羽織紐ではカニ鐶を用いているため、鐶の開口部から羽織紐や羽織の乳附がはずれる心配がない。
すなわち、従来の羽織紐では、Ｓ字鐶のカーブ部分に羽織紐の端部と羽織の乳附をそれぞれ引っかけて留めていたため、Ｓ字の開口部から抜け落ちる危険性があったが、本実施例ではカニ鐶４を用い、根本のリング部分６に羽織紐の端部を結わえ留め、カニ鐶のいわゆるツメ部内７に羽織の乳附を保持させるため、いずれも羽織鐶４から外れにくい。
【００１７】
本考案に係る羽織紐に磁石を設けるにあたっては、羽織紐の外観を損なわないデザインとすることが好ましい。上記実施例のごとく、磁石が外部から見えないようにしてもよく、あるいは逆に、磁石の形状や色を羽織紐の外観に合うようなデザインとしてもよい。
例えば、図２Ｂに示すように、羽織紐の中央に飾り玉３を２個配置し、一方の飾り玉（右側）に一部が球面から突出する態様で磁石を埋め込み、他方の飾り玉（左側）には、前記突出形状に対応する凹部を設け、該凹部の奥に磁石を埋め込んで、凹部の奥の壁面を磁石で構成することにより、連結時に磁石が外部から見えなくなるとともに、突出部と凹部の嵌合により羽織紐をより強固に連結させることができる。
他方、図２Ｃに示す実施例では、連結時に磁石が外部から見える構成となっているが、この実施例においては、銀色の円柱と赤瑪瑙の球を交互に配置して羽織紐を構成し、中央部の磁石もそれに合わせて銀色の円柱状として、羽織紐全体のデザインと磁石を調和させているため、磁石が外部に露出していても、違和感を感じないデザインとなっている。
【００１８】
本考案に使用する磁石は、羽織着用時に容易に外れない程度に強く連結する一方、手で両側に引っ張った際にはそれほど強い力をかけなくても外れる程度の磁力を有していればよく、羽織紐の重さや磁石の設置状態により、適宜選択すればよい。図２Ａのように、双方の磁石が各飾り玉の球面から突出しない態様とする場合は、磁石が球面から遠ざかるほど吸引力が弱くなるため、球面すれすれに磁石がある場合に比べて、強い磁力の磁石を用いる必要がある。一方、図２Ｃでは、両方の磁石が完全に密着するため、羽織紐の重量などを考慮するだけでよい。
【００１９】
図１及び図２に示す実施例は、いずれも無双タイプの羽織紐であるが、本考案の羽織紐は無双タイプに限定されず、丸組みタイプや平打ちタイプの羽織紐であってもよい。この場合は、羽織紐の結び目の中あるいは結び目の裏に磁石が隠れるような構成とすることが好ましい。
実施例のように無双タイプの羽織紐とし、中央の飾り玉に磁石を埋め込む場合は、飾り玉は羽織紐全体のデザインに合うものとすればよく、木製であっても、天然石製等であってもよい。より和風のデザインとしたい場合には、飾り玉を苧環（おだまき）として、中の空洞内に磁石を配置してもよい。磁石の埋め込み易さからは、木製の飾り玉が好ましい。
【図面の簡単な説明】
【００２０】
【図１】図１は、本考案の羽織紐の一実施例を示す正面図であって、Ａは連結した状態を示す図、Ｂは分断した状態を示す図である。
【図２】図２は、本考案の羽織紐の一部断面図であって、磁石の取り付け方を例示する図である。
【符号の説明】
【００２１】
１  羽織紐
２  羽織紐を分断した際の各紐片
３  中央部の飾り玉
４  カニ鐶
５  磁石
６  カニ鐶の根本のリング
７  カニ鐶のツメ部内
【図１】
0003111523.tif 000003
【図２】
0003111523.tif 000004
【手続補正書】
【提出日】平成17年4月26日(2005.4.26)
【手続補正１】
【補正対象書類名】実用新案登録請求の範囲
【補正対象項目名】請求項１
【補正方法】変更
【補正の内容】
【請求項１】
紐の両端を羽織に固定したまま中間部を連結・分断することによって羽織の胸元の開閉ができる羽織紐であって、紐の中央部に２つの飾り玉を配置し、一方の飾り玉に磁石のN極を、他方の飾り玉に磁石のS極を取り付け、紐の連結を磁石の吸引力を利用して行うことを特徴とする、羽織紐。